(57)【特許請求の範囲】
【請求項１】
床部に立設する壁体の下端部に、壁面下端部と床面とのコーナー部を湾曲面とする湾曲片部を備えた巾木を構成するにあたり、前記巾木を、湾曲片部と、湾曲片部の上端縁部から下方に垂下する第一垂直片部と、湾曲片部の下端縁部から下方に垂下する第二垂直片部とを備えて構成し、巾木の第一垂直片部を壁面に沿って一体化する一方、床部には、第二垂直片部の上下方向長さと同じか、該上下方向長さよりも長い溝深さを有する凹部を形成して、巾木の少なくとも第二垂直片部の上端部を、湾曲片部の下端縁部が床面と面一状になるよう位置合わせして前記凹部に没入せしめるとともに、凹部に充填材を充填して、壁面から、巾木の湾曲片部、充填材、床面に至る外面を無段状に面合せしたことを特徴とする巾木。
【請求項２】
床部に立設する壁体の下端部に、壁面下端部と床面とのコーナー部を湾曲面とする湾曲片部を備えた巾木を構成するにあたり、前記巾木を、湾曲片部と、湾曲片部の上端縁部から下方に垂下する第一垂直片部と、湾曲片部の下端縁部から下方に垂下する第二垂直片部とを備えて構成し、巾木の第一垂直片部を壁面に沿って一体化する一方、床部に凹部を形成して、巾木の少なくとも第二垂直片部の上端部を、湾曲片部の下端縁部が床面と面一状になるよう位置合わせして前記凹部に没入せしめるとともに、凹部に充填材を充填して、壁面から、巾木の湾曲片部、充填材、床面に至る外面を無段状に面合せし、巾木は、パネル体と、該パネル体の高さ調整をするべくパネル体の下端部に連結される高さ調整部材とにより構成される壁体の高さ調整部材の下端部に一体化されるものとし、巾木の下端部は、高さ調整部材の下端部とともに前記床部の凹部に没入する構成としたことを特徴とする巾木。
【請求項３】
床部に立設する壁体の下端部に、壁面下端部と床面とのコーナー部を湾曲面とする湾曲片部を備えた巾木を構成するにあたり、前記巾木を、湾曲片部と、湾曲片部の上端縁部から下方に垂下する第一垂直片部と、湾曲片部の下端縁部から下方に垂下する第二垂直片部とを備えて構成し、巾木の第一垂直片部を壁面に沿って一体化する一方、床部に凹部を形成して、巾木の少なくとも第二垂直片部の上端部を、湾曲片部の下端縁部が床面と面一状になるよう位置合わせして前記凹部に没入せしめるとともに、凹部に充填材を充填して、壁面から、巾木の湾曲片部、充填材、床面に至る外面を無段状に面合せし、巾木は、第一、第二垂直片部から互いに対向する方向に突出する補強リブが形成されていることを特徴とする巾木。
【請求項４】
床部に立設する壁体の下端部に、壁面下端部と床面とのコーナー部を湾曲面とする湾曲片部を備えた巾木の施工方法であって、前記巾木を、湾曲片部と、湾曲片部の上端縁部から下方に垂下する第一垂直片部と、湾曲片部の下端縁部から下方に垂下する第二垂直片部とを備えて構成し、巾木の第一垂直片部を壁面に沿って一体化する工程と、床部に第二垂直片部の上下方向長さと同じか、該上下方向長さよりも長い溝深さを有する凹部を形成する工程と、巾木の少なくとも第二垂直片部の上端部を、湾曲片部の下端縁部が床面に面一状になるよう位置合わせして前記凹部に没入せしめる工程と、凹部に充填材を充填する工程とを有し、壁面から、巾木の湾曲片部、充填材、床面に至る外面を無段状に面合せしたことを特徴とする巾木の施工方法。
【発明の詳細な説明】
【技術分野】
【０００１】
本発明は、建物内の壁部と床部とのコーナー部に設けられる巾木であって、特に、建物内に食品や医薬品を扱うようなクリーンルームを構成する壁体の下端部に設けられる巾木および巾木の施工方法の技術分野に関するものである。
【背景技術】
【０００２】
一般に、建物内において、床部に立設する壁体の下端部には、汚れ防止や補強を兼ねて壁面に沿って長尺状の巾木を設けることがあるが、この場合に、巾木が平板板状に形成され、巾木と床面とにより形成されるコーナー部が直角状となると、該コーナー部にゴミや埃が溜まりやすいうえ、該溜ったゴミや埃を掃除しにくいという問題がある。そこで、巾木に湾曲片部を設けて、該湾曲片部の上端縁部を壁面に密着させ、下端縁部を床面に密着させることで壁面と床面とのあいだのコーナー部を湾曲面として、ゴミや埃が溜まりにくくするとともに、掃除しやすいようにしたものが知られている。ところで、このような巾木を、食品や医薬品を扱う工場のように耐腐食性や耐薬品性が要求されるような条件下に設ける場合では、巾木と壁面、巾木と床面の各連結部（接続部）における密着性を向上させて、これら連結部に水やカビ等の細菌が浸入するのを防止することが要求される。そこで、湾曲片部の上下の端縁部にそれぞれ固定片を折曲形成し、これら固定片を壁面側と床面側とにそれぞれ固定し、これら固定片による固定部に、それぞれ密着手段（封止手段）を適宜施すようにしたものが提唱されている（特許文献１、２）。しかるに、特許文献１、２のものは、巾木と床部側の密着手段を構成するにあたり、巾木の固定片と湾曲片部とのあいだに床面に対して起立する垂直片部を形成し、巾木を床面に設置した後に、予め躯体として設けられる床部に仕上げ材を施工する床工事を実施して、新規の床面となる仕上げ材の上面と湾曲片部の下端縁部位置とを同レベルになるようにすることで、固定片を仕上げ材により埋設状として、床部に対してガタつきなく密着状に固定するようにしている。この場合に、前記従来の床工事は、クリーンルーム全域の床部に施工しなければならないうえ、モルタルを打設する等の湿式の工事となっている。このため、施工が大がかりで煩雑になるばかりでなく、施工時間が長期にわたり、コスト高になるという問題がある。さらには、このようなクリーンルームを改修しようとした場合、巾木設置後に施工された床部の仕上げ材を撤去する作業が必要となるが、該撤去作業が面倒、かつ、煩雑であるばかりでなく、経費が嵩むため、改修し難いという別の問題もある。
一方、巾木を、床部に固定される床レールと、湾曲片部を備えたＲカバーと、床レールおよびＲカバーを上方から覆う巾木カバーとにより構成して、巾木の施工後に床部の工事を省略するようにしたものが提唱されている（特許文献３）。
【先行技術文献】
【特許文献】
【０００３】
【特許文献１】特開平９−３０２９０８号公報
【特許文献２】特開２０００−２６５６５８号公報
【特許文献３】実開昭５７−６６１１１号公報
【発明の概要】
【発明が解決しようとする課題】
【０００４】
しかるに、前記特許文献３のものは、巾木を乾式の施工で取付けることができて、巾木の施工工程の簡略化、施工時間の短縮を図れるが、Ｒカバーの上部に設けられる巾木カバーとのあいだに段差が形成されているばかりでなく、Ｒカバーの湾曲片部の下端部が単に床面に載置されている状態となっているので、これらＲカバーと巾木カバーとの連結部、Ｒカバーと床部との連結部における封止性をそれぞれ充分に確保することができず、これらの連結部から水やカビ等の細菌が浸入する等の初期の問題が依然として解決されないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、床部に立設する壁体の下端部に、壁面下端部と床面とのコーナー部を湾曲面とする湾曲片部を備えた巾木を構成するにあたり、前記巾木を、湾曲片部と、湾曲片部の上端縁部から下方に垂下する第一垂直片部と、湾曲片部の下端縁部から下方に垂下する第二垂直片部とを備えて構成し、巾木の第一垂直片部を壁面に沿って一体化する一方、床部には、第二垂直片部の上下方向長さと同じか、該上下方向長さよりも長い溝深さを有する凹部を形成して、巾木の少なくとも第二垂直片部の上端部を、湾曲片部の下端縁部が床面と面一状になるよう位置合わせして前記凹部に没入せしめるとともに、凹部に充填材を充填して、壁面から、巾木の湾曲片部、充填材、床面に至る外面を無段状に面合せしたことを特徴とする巾木である。
請求項２の発明は、床部に立設する壁体の下端部に、壁面下端部と床面とのコーナー部を湾曲面とする湾曲片部を備えた巾木を構成するにあたり、前記巾木を、湾曲片部と、湾曲片部の上端縁部から下方に垂下する第一垂直片部と、湾曲片部の下端縁部から下方に垂下する第二垂直片部とを備えて構成し、巾木の第一垂直片部を壁面に沿って一体化する一方、床部に凹部を形成して、巾木の少なくとも第二垂直片部の上端部を、湾曲片部の下端縁部が床面と面一状になるよう位置合わせして前記凹部に没入せしめるとともに、凹部に充填材を充填して、壁面から、巾木の湾曲片部、充填材、床面に至る外面を無段状に面合せし、巾木は、パネル体と、該パネル体の高さ調整をするべくパネル体の下端部に連結される高さ調整部材とにより構成される壁体の高さ調整部材の下端部に一体化されるものとし、巾木の下端部は、高さ調整部材の下端部とともに前記床部の凹部に没入する構成としたことを特徴とする巾木である。
請求項３の発明は、床部に立設する壁体の下端部に、壁面下端部と床面とのコーナー部を湾曲面とする湾曲片部を備えた巾木を構成するにあたり、前記巾木を、湾曲片部と、湾曲片部の上端縁部から下方に垂下する第一垂直片部と、湾曲片部の下端縁部から下方に垂下する第二垂直片部とを備えて構成し、巾木の第一垂直片部を壁面に沿って一体化する一方、床部に凹部を形成して、巾木の少なくとも第二垂直片部の上端部を、湾曲片部の下端縁部が床面と面一状になるよう位置合わせして前記凹部に没入せしめるとともに、凹部に充填材を充填して、壁面から、巾木の湾曲片部、充填材、床面に至る外面を無段状に面合せし、巾木は、第一、第二垂直片部から互いに対向する方向に突出する補強リブが形成されていることを特徴とする巾木。
請求項４の発明において、床部に立設する壁体の下端部に、壁面下端部と床面とのコーナー部を湾曲面とする湾曲片部を備えた巾木の施工方法であって、前記巾木を、湾曲片部と、湾曲片部の上端縁部から下方に垂下する第一垂直片部と、湾曲片部の下端縁部から下方に垂下する第二垂直片部とを備えて構成し、巾木の第一垂直片部を壁面に沿って一体化する工程と、床部に第二垂直片部の上下方向長さと同じか、該上下方向長さよりも長い溝深さを有する凹部を形成する工程と、巾木の少なくとも第二垂直片部の上端部を、湾曲片部の下端縁部が床面に面一状になるよう位置合わせして前記凹部に没入せしめる工程と、凹部に充填材を充填する工程とを有し、壁面から、巾木の湾曲片部、充填材、床面に至る外面を無段状に面合せしたことを特徴とする巾木の施工方法である。
【発明の効果】
【０００６】
請求項１、４の発明とすることにより、巾木を壁体と床部とに対して無段状に面合せした状態で連結できて封止性に優れ、壁体や床部の耐腐食性や耐薬品性の向上を図ることができるものでありながら、乾式の施工とすることができ、従来のように、巾木の固定後に湾曲片部と床面との段差をなくすための湿式の床工事をする必要がなく、施工時間の大幅な短縮、コスト低下に寄与でき、しかも、改修作業を容易に行なうことが可能となる。
請求項２の発明とすることにより、施工時間のさらなる短縮が期待できるうえ、巾木のガタつきを防止できる。
請求項３の発明とすることにより、巾木の表裏方向における強度アップを図れる。
【図面の簡単な説明】
【０００７】
【図１】壁体の一部を切欠いた正面図である。
【図２】図２（Ａ）、（Ｂ）はそれぞれ要部の側面断面図、図２（Ａ）におけるＸ−Ｘ断面図である。
【図３】出隅部の一部を切欠いた斜視図である。
【図４】入隅部の一部を切欠いた斜視図である。
【図５】要部の分解側面断面図である。
【図６】図６（Ａ）、（Ｂ）はそれぞれ要部に仕上げ手段を施した状態の側面断面図、斜視図である。
【図７】図７（Ａ）、（Ｂ）はそれぞれ要部に別の仕上げ手段を施した状態の側面断面図、斜視図である。
【図８】図８（Ａ）、（Ｂ）はそれぞれ第二の実施の形態における要部の側面断面図、巾木の側面断面図である。
【図９】第二の実施の形態における要部の斜視図である。
【図１０】図１０（Ａ）、（Ｂ）はそれぞれ第三の実施の形態における要部の側面図、斜視図である。
【発明を実施するための形態】
【０００８】
以下、本発明の第一の実施の形態について、図面に基づいて説明する。
図面において、１は建物内を仕切る壁体であって、該壁体１は例えば四方を囲繞するように設けることで、薬品製造等の目的で使用されるクリーンルームとなるように構成されている。前記壁体１は、本実施の形態では乾式の施工で立設されるものであって、複数枚のパネル体２と、これらパネル体２の下端部が高さ調整自在に連結される高さ調整部材３とにより構成されている。そして、壁体１の上端部は、天井部に固定され、下方に垂下する固定具４により固定される一方、壁体１の下端部となる高さ調整部材３は、床部５に一体的に固定されるように構成されている。
【０００９】
前記各パネル体２は、表裏一対の面板２ａと、これら面板２ａ間に介装されるコア材２ｂとを備えて構成されており、本実施に形態では、高さ方向に長い形状となっている。これらパネル体２は、短尺方向両端面にそれぞれに図示しない凹部、凸部が形成されており、互いの凹部と凸部とを高さ方向にスライド嵌合することにより、短尺方向に隣接するパネル体２同士が表裏方向のズレ止めがなされた状態で連結されるように構成されている。
【００１０】
前記床部５は、壁体１の立設部に位置して凹部６が形成されており、該凹部６の底片６ａに壁体１の下端部となる高さ調整部材３下端部が固定されるように構成されている。ここで、第一の実施の形態の凹部６は、溝幅が広く形成されており、高さ調整部材３の下端部と、該高さ調整部材３下端部の表裏にそれぞれ固定される後述する一対の巾木７の下端部とが遊嵌状に没入する溝幅を有して形成されている。
【００１１】
そして、壁体１は、床部５の凹部底片６ａに高さ調整部材３を固定し、該高さ調整部材３の上部にパネル体２の複数枚を適宜連結支持させるとともに、天井部側から垂下する固定具４にパネル体２上端部を連結することにより、床部５に立設するように構成されている。前記壁体１により仕切られたクリーンルームは、壁体１下端部となる高さ調整部材３下端部の表裏面（室内外面）に、表裏一対の巾木７がそれぞれ固定されている。前記巾木７には湾曲片部７ａが設けられており、壁体１の下端部と床部５とにより形成されるコーナー部を湾曲面とするように構成されており、これによって、クリーンルームの周縁部にゴミが溜りにくくなるとともに、掃除が容易になり、さらに、巾木７を後述するように構成して壁体１下端部と床部５とのコーナー部に固定することにより、壁体１と巾木７、巾木７と床部５との連結部の密着性が優れて耐腐蝕性、耐薬品性に優れたクリーンルームとなるように構成されている。
尚、本実施の形態では、壁体１、巾木７、床部５の外面（床面Ｆ）に、後述する仕上げ手段が施工されており、これによって、クリーンルームの耐腐蝕性、耐薬品性が一層優れるように構成されている。
【００１２】
つぎに、壁体１の構成を設置手順、巾木７の施工手順を図２、３、４に基づいて説明するが、これら図面は、後述する仕上げ手段が実施する前の段階を示す図面となっている。
まず、高さ調整部材３は、クリーンルームの外形状に合わせて適宜連結された長尺体となっており、床部５の凹部底片６ａに固定されるベース体８と、該ベース体８に内装される螺子受け体９と、該螺子受け体９に対して高さ調整自在に固定され、壁体１の形状にあわせて適宜連結されたパネル体２の下端部を支持するパネル支持体１０とを用いて構成されており、これらベース体８、螺子受け体９、パネル支持体１０とは、それぞれ金属材により一体型成形されている。
【００１３】
前記ベース体８は上下一対の上下側片８ａ、８ｂと、表裏方向に対向する一対の表裏側片８ｃ、８ｄとにより断面四角筒形状に形成されている。前記ベース体８は、表裏側片８ｃ、８ｄの上端部が上側片８ａよりも上方に突出して形成されており、また、上側片８ａには長尺方向所定間隔を存して複数の貫通孔８ｅが開設されている。そして、ベース体８の上下、表裏側片８ａ、８ｂ、８ｃ、８ｄにより形成される四角筒内に螺子受け体９が内装されている。
【００１４】
前記螺子受け体９は、表裏一対の表裏側片９ａ、９ｂと上側片９ｃとにより下方が開口する断面コ字形状に形成されており、表裏側片９ａ、９ｂがベース体下側片８ｂに載置する状態で内装されている。前記螺子受け体９の上側片９ｃはベース体上側片８ａとのあいだに所定間隙を存するように構成されており、ベース体上側片８ａに開設された貫通孔８ｅの対向部位には、貫通孔９ｄ、または、螺子溝９ｅがそれぞれ長尺方向に複数形成されている。
【００１５】
また、前記ベース体８の下側片８ｂには、上側片８ａの貫通孔８ｅと螺子受け体９の貫通孔９ｄとに連通する部位に位置して複数の固定用貫通孔８ｆが開設されている。そして、ベース体８は、下側片８ｂを床部５の凹部底片６ａの溝幅方向中間部に突き当て、ベース体下側片８ｂの固定用貫通孔８ｆにそれぞれ挿通した複数の固定ボルト１１を、底片６ａに複数形成された螺子孔６ｂにそれぞれ螺合することにより凹部６に一体的に固定されるように構成されており、これによって、ベース体８は、下端部が凹部６に没入する状態で固定されている。
そして、このように固定されたベース体８に対し、螺子受け体９に形成される螺子孔９ｅに連通する上側片８ａの複数の貫通孔８ｅにそれぞれ調整ボルト１２を挿入し、これら調整ボルト１２を螺子受け体螺子孔９ｅにそれぞれ螺合することにより、複数の調整ボルト１２が螺子受け体９に支持されるように構成されている。このとき、各調整ボルト１２は、螺子孔９ｅへの螺合量の調整に基づいてベース体８に対する調整ボルト１２の頭部１２ａ位置を調整できるように構成されている。
【００１６】
また、前記パネル支持体１０は、前述したように凹部６に固定されたベース体８に支持される部材であり、表裏一対の表裏側片１０ａ、１０ｂと上側片１０ｃとにより断面コ字形状に形成されており、ベース体８の上方から組込むことでベース体８に外嵌支持される構成となっている。ここで、パネル支持体１０の表裏側片１０ａ、１０ｂは、外側面がパネル体２の表裏面２ａと面一状になり、かつ、内側面がベース体表裏片８ｃ、８ｄに摺接するように寸法設定されており、ガタつきなくベース体８に組込まれるように構成されている。さらに、パネル支持体上側片１０ｃの表裏方向両端部には、下方に向けて突出する一対のリブ１０ｄが形成されている。
そして、パネル支持体１０はベース体８に外嵌支持されるが、ベース体上側片８ａから螺入する調整ボルト１２の頭部１２ａがベース体表裏片８ｃ、８ｄ上端部より下方に位置する場合では、パネル支持体上側片１０ｃがベース体表裏側片８ｃ、８ｄに当接し、かつ、パネル支持体リブ１０ｄがベース体上側片８ａに当接する状態でベース体８の支持を受けるように設定されている。これに対し、調整ボルト１２の頭部１２ａがベース体表裏側片８ｃ、８ｄの上端部より上方に位置してベース体８から上方に突出する場合では、パネル支持体上側片１０ｃが調整ボルト頭部１２ａに当接して支持を受けるように構成されており、この場合では、調整ボルト頭部１２ａがベース体８から突出する分だけパネル支持体１０を上位に位置させることができるように構成されている。これによって、高さ調整部材３は、調整ボルト１２の螺合調整に基づいてパネル支持体１０のベース体８に対する高さを調整し、もって、パネル支持体１０の上部に連結されるパネル体２の高さ調整ができるように構成されている。
尚、１０ｅは上側片１０ｃから上方に向けて突出形成された係合突部であって、パネル体２の連結時に、パネル体２の下端部に形成された凹部２ｃを前記係合突部１０ｅに外嵌させることにより、パネル体２の表裏方向の位置ズレ防止がなされるように構成されている。
そして、壁体１は、予め床部５の凹部６に高さ調整部材３を固定し、続いてパネル体２を高さ調整部材３による高さ調整をしつつ、パネル支持体１０に連結することにより構成されている。
【００１７】
一方、前記巾木７は金属材（アルミニウム）により一体的に型成形された長尺体であって、上下方向に湾曲し、壁体１の壁面と床部５の床面とのコーナー部を湾曲面とする湾曲片部７ａと、湾曲片部７ａの上端縁部から下方に垂下する第一垂直片部７ｂと、湾曲片部７ａの下端縁部から下方に垂下する第二垂直片部７ｃとを備えて形成されている。これら第一、第二垂直片部７ｂ、７ｃの下端部には、互いに対向する側に向けて直交状に折曲する第一、第二折曲片７ｄ、７ｅがそれぞれ形成されている。ここで、湾曲片部７ａの下端縁部から垂下する第二垂直片部７ｃの上下方向長さは、前記床部５に形成される凹部６の溝深さと略同長さとなるように形成されている。また、本実施の形態の第一垂直片部７ｂは下方に長く形成されており、第一、第二垂直片部７ｂ、７ｃの下端部にそれぞれ設けられる折曲片７ｄ、７ｅ同士は、互いに面一状となって水平面となるように構成されている。
さらに、巾木７は、第一、第二垂直片部７ｂ、７ｃの上下方向中間部から互いに対向する側に突出する補強リブ７ｆが一体形成されており、これによって、巾木７は、表裏方向の強度アップが図れるように構成されているが、本実施の形態の補強リブ７ｆは、第一、第二垂直片部７ｂ、７ｃ同士を連結する状態に形成されている。
【００１８】
このように構成された巾木７は、表裏一対のものが床部５の凹部６に立設された壁体１（高さ調整部材３）の下端部表裏面に沿ってそれぞれ固定されるが、本実施の形態の凹部６は、前述したように、高さ調整部材３と、表裏一対の巾木７との各下端部が没入可能な溝幅に形成されている。そして、表裏一対の巾木７は、それぞれ第一垂直片７ｂをパネル支持体表裏側片１０ａ、１０ｂ（壁体１の壁面）にそれぞれ当接する状態とするとともに、各巾木７の第一、第二折曲片７ｄ、７ｅをそれぞれ凹部底片６ａに当接する状態とすることにより、各湾曲片部７ａの下端縁部（第二垂直片部７ｃの上端縁部）と床面Ｆとが位置合わせされ、湾曲片部７ａが壁面（壁体１）と床面Ｆ（床部５）とのコーナー部に対向する湾曲面を構成するように設定されている。この状態において、巾木７の第一垂直片７ｂとパネル支持体表裏側片１０ａ、１０ｂとのあいだを、一体化手段として例えば両面テープを用いて一体固定することにより、巾木７と高さ調整部材３下端部との一体化がなされ、高さ調整部材３下端部と表裏一対の巾木７下端部とが凹部６に没入状に固定されるように構成されている。
このように、表裏一対の巾木７と高さ調整部材３（パネル支持体１０）とを凹部６において一体化した状態において、各巾木７の湾曲片部７ａの上端縁部とパネル支持体表裏側片１０ａ、１０ｂ（本発明のパネル面に相当する）との外面とは、面合わせされてほぼ面一状となっており、パネル支持体表裏側片１０ａ、１０ｂから各巾木湾曲片部７ａに至る部位の外面が無段状に連続して封止性に優れるように構成されている。また、各巾木７の第二垂直片７ｃの上下方向長さは、前述したように、凹部６の溝深さと同長さに設定されており、これによって、各巾木湾曲片部７ａの下端縁部（第二垂直片７ｃの上端縁部）と床面Ｆとが位置合わせされて、ほぼ同位置（面一状）となるように構成されている。
【００１９】
また、表裏一対の巾木７と高さ調整部材３とを凹部６に没入固定した状態において、表裏の巾木７の第二垂直片７ｃと、凹部６の表裏方向に対向する溝側片６ｃとのあいだにはそれぞれ間隙が形成されている。そして、これら表裏の間隙に、床面Ｆと面一状になるよう充填材１３をそれぞれ充填することにより、巾木７と床部５とのあいだが封止されるとともに、巾木７の床部５への固定が一層確実になるように構成されている。この状態において、巾木湾曲片部７ａの下端縁部と充填材１３外面とが面合わせされて略面一状となり、湾曲片部７ａから充填材１３、床面Ｆに至る部位の外面が無段状に連続して封止性に優れるように構成されている。
これによって、壁体1の立設、巾木の設置工事を乾式の施工とするものでありながら、各巾木７が壁体１と床部５とに対して無段状に面合せされた状態で連結されて封止性のよいものとなって、巾木７施工部位の耐腐食性、耐薬品性に優れるように構成されている。
【００２０】
さらに、壁体１と壁体１とが直交状に交わる部位において、壁体１は、図３、４に示すように、高さ調整部材３およびパネル体２の幅方向一方の端面を４５度の角度を存して切欠き、これら切欠かれた端面同士を突当てることにより壁体１の表裏に出隅部、入隅部を形成するように構成されている。そして、壁体１の出隅部および入隅部の下端部には、直線状の壁体１の下端部に設けられる巾木７とは別に予め用意された専用の出隅用巾木１４、入隅用巾木１５が固定されるように構成されている。これら出隅用、入隅用巾木１４、１５は、前記巾木７を適宜形状に切欠き、該切欠いた端面同士を直交状となるよう溶接等の一体化手段を用いて一体化することにより形成されており、それぞれ湾曲片部１４ａ、ｌ５ａ、第一垂直片部１４ｂ、１５ｂ、第二垂直片部１４ｃ、１５ｃ、第一折曲片部１４ｄ、１５ｄ、第二折曲片部１４ｅ、１５ｅ、補強リブ１４ｆ、１５ｆを備えて形成されている。そして、出隅用、入隅用巾木１４、１５は、前記巾木７と同様に、一体化手段として例えば両面テープを用いて高さ調整部材３（壁体１）の下端部に固定されるように構成されている。
【００２１】
そして、これら出隅部、入隅部において、高さ調整部材３（パネル支持体１０）下端部の表裏面に、出隅用、入隅用巾木１４、１５の第一垂直片部１４ｂ、１５ｂを当接し、かつ、第一、第二折曲片１４ｄ、１４ｅ、１５ｄ、１５ｅを凹部底片６ａに当接する状態とし、第一垂直片部１４ｂ、１５ｂと高さ調整部材３下端部の表裏面とを一体化することにより、高さ調整部材３の下端部と出隅用、入隅用巾木１４、１５の下端部とがＬ字形の凹部６に遊嵌状に没入固定されるように構成されている。この没入固定状態において、壁面と床面Ｆとのコーナー部に湾曲片部１４ｃ、１５ａが対向し、各巾木湾曲片部１４ａ、１５ａの下端縁部と床面Ｆとが位置合わせされるように構成されている。そして、前記Ｌ字形の凹部６と出隅用、入隅用巾木１４、１５とのあいだに形成される間隙に対し、充填材１３を床面Ｆと面一状になるよう充填することにより、凹部６に形成される間隙が封止されるとともに、各巾木１４、１５の凹部６への固定が確実になるように構成されている。
これによって、出隅部、入隅部においてもパネル支持体表裏側片１０ａ、１０ｂと湾曲片部１４ａ、１５ａ上端縁部とが面合わせされ、また、湾曲片部１４ａ、１５ａ下端縁部と充填材１３外面とが面合わせされた状態となり、もって、壁体１から、湾曲片部１４ａ、１５ａ、充填材１３を経由して床部１の床面Ｆに至る部位の外面が無段状に連続されて封止されるように構成されている。
尚、図中１６、１７は出隅用、入隅用巾木１４、１５の上端部からパネル体２下端部に至る部位を覆うようＬ字状に折曲形成されたステンレス製の出隅用、入隅用の補強プレートである。
【００２２】
また、本実施の形態では、壁体１、および、表裏一対の巾木７との下端部を床部に形成された凹部６に没入状に設ける構成とするにあたり、高さ調整部材３、パネル体２、巾木７、出隅用、入隅用巾木、１４、１５、出隅用、入隅用補強プレート１６、１７を組込んだ後に、耐腐食性、耐薬品性を高めるための仕上げ手段が施されている。
【００２３】
仕上げ手段の一例を、図１、５、６に示すが、該仕上げ手段は、高さ調整部材３のパネル支持体表裏側片１０ａ、１０ｂ、および、パネル支持体表裏側片１０ａ、１０ｂに面合わせされて無段状に連続する巾木湾曲片部７ａ、１４ａ、１５ａの外面に、表裏一対のステンレス製の下端部用保護プレート１８を一体的に装着（例えば貼着）する構成となっている。この場合に、下端部用保護プレート１８の下端部には、巾木７の第二垂直片部７ｃ、１４ｃ、１５ｃに沿うように形成され、第二垂直片部７ｃ、１４ｃ、１５ｃとともに凹部６に没入する凹部没入片１８ａが折曲形成されている。そして、下端部用保護プレート１８は、凹部６と巾木７下端部とのあいだに形成される間隙に充填材１３を充填する前の段階において、パネル支持体表裏側片１０ａ、１０ｂと巾木湾曲片部７ａ、１４ａ、１５ａとの外面に一体化して、凹部没入片１８ａを凹部６内に没入させ、その後、凹部６に充填材１３を充填することで、下端部用保護プレート１８がガタつきなく、かつ、封止性よく設けられるように構成されている。そして、最後に、床部５の床面Ｆ、および、充填材１３外面に、防塵機能を備えた樹脂材からなる塗装剤を塗布して防塵層１９を形成し、下端部用保護プレート１８の外部に露出する部位から防塵層１９に至る部位を無段状になるようにしている。
これによって、高さ調整部材３と巾木７との連結部、巾木７と充填材１３との連結部、充填材１３と床部５との連結部の各連結部が、下端部用保護プレート１８、防塵層１９により覆われて、それぞれにおける封止性が一層確実になって、耐腐食性、耐薬品性が一層高められるように構成されている。
そして、前記仕上げ手段を実施する場合に、壁体１、巾木７、１４、１５の湾曲片部７ａ、１４ａ、１５ａ、充填材１３、床部５の外面が無段状に面合わせされているため、保護プレート１８を壁体１および湾曲片部７ａ、１４ａ、１５ａに密着して設ける作業、防塵層１９の塗布作業を容易に行なうことができ、しかも、確実な仕上げ状態となるように構成されている。
【００２４】
また、仕上げ手段としては、図７に示すように、高さ調整部材３のパネル支持体表裏側片１０ａ、１０ｂ、および、巾木湾曲片７ａ、樹脂材１３外面、床面Ｆに至る一帯部位に、防塵機能を備えた樹脂材からなる塗装剤を塗布して防塵層２０を形成する構成としてもよい。この場合でも、高さ調整部材３と巾木７との連結部、巾木７と充填材１３との連結部、充填材１３と床部５との連結部の各連結部における封止がそれぞれ一層確実になされて、耐腐食性、耐薬品性を一層高めることができるように構成されている。
そして、前記仕上げ手段を実施する場合に、壁体１から巾木７、１４、１５の湾曲片部７ａ、１４ａ、１５ａ、充填材１３、床部５に至る部位の外面が無段状に面合わせされているため、仕上げ手段を容易に実施することができ、しかも、巾木７と壁体１とのあいだ、巾木７と床部５とのあいだの封止を確実に行なうことができる。特に、仕上げ手段として塗装剤を塗布して防塵層２０を形成する場合では、前記壁体１から巾木７、床部５に至る部位が無段状になることによる効果、つまり、塗布作業が容易になること、巾木７の壁体１、床部５に対する封止性が向上すること等が顕著であって、確実な仕上げ状態にすることができるように構成されている。尚、仕上げ手段としては、前記各手段の他に、仕上げ材として長尺状のシート材を壁体１の下端部から床部５に至る一体に設ける構成としてもよい。また、仕上げ手段に用いる仕上げ材としては、前記下端部用プレート１８、塗装剤、シート材の他に、壁体１下端部から床部５に至る部位を封止し、かつ、平滑状に覆う部材であれば、何れの部材を用いてもよい。
因みに、これら仕上げ手段は必ずしも実施する必要はなく、クリーンルームの使用状態や、クリーンルームで用いられる薬品等、設置環境に応じて適宜実施すればよい。
尚、図１において、２１はパネル体２の下端部から所定の高さ（腰高）に至る部位に設けられた上部保護プレートである。
【００２５】
叙述の如く構成された本形態において、建物内を壁体１により仕切ることにより構成されるクリーンルームは、壁体１の下端部に湾曲片部７ａ、１４ａ、１５ａを備えた巾木７、１４、１５が設けられ、壁体１と床部５とにより形成されるコーナー部が湾曲面に形成されてゴミや埃が溜まりにくく、しかも、掃除しやすい形状となっている。そのうえ、本発明が実施された巾木７、１４、１５は、湾曲片部７ａ、１４ａ、１５ａの上下端縁部から下方に垂下する第一、第二垂直片部７ｂ、７ｃ、１４ｂ、１４ｃ、１５ｂ、１５ｃが形成されていて、第一垂直片部７ｂ、１４ｂ、１５ｂを壁体１の壁面（高さ調整部材３を構成するパネル支持体表裏側片１１ａ、１１ｂ）下端部に沿って一体化することにより、壁面と湾曲片部７ａ、１４ａ、１５ａの上端縁部とが無段状に面合わせされて封止されるとともに、第一、第二垂直片部７ｂ、７ｃ、１４ｂ、１４ｃ、１５ｂ、１５ｃを、床部５に形成された凹部６に没入させて固定し、凹部６に充填材１３を充填することにより、湾曲片部７ａ、１４ａ、１５ａの下端部と充填材１３の外面とが無段状に面合わせされて封止されている。この結果、巾木の設置の工程を乾式の施工とするものでありながら、巾木７を壁体１と床部５とに対して無段状に面合せされた状態で連結することができて、巾木７と壁体１、巾木７と床部５との連結部における封止性に優れて薬剤等が浸入するのが防止され、クリーンルームの耐腐食性や耐薬品性の向上を図ることができる。この結果、従来のもののように、巾木を床部に固定したとき、湾曲片部の下端縁部と床面とが段差状になって、巾木取付け後に床部全域にモルタルを打設する等して、湾曲片部の下端縁部と床部上面とを面合せするような面倒な湿式の床工事が不要となって、施工時間の大幅な短縮、さらには、コスト低下を図ることができる。そのうえ、乾式による施工であるが故に、改修作業を容易に行うことができて、クリーンルームの汎用性を高めることができる。
【００２６】
このように、本発明が実施されたものにあっては、壁体１の下端部に湾曲片部を備えた巾木７、１４、１５を設けた後は、床面全域を盛り上げるよう床工事を不要にできるものであるが、このものでは、壁体１をパネル体２と高さ調整部材３とで乾式に施工できる構成とし、高さ調整部材３（壁体１）の下端部とともに表裏に設けられる巾木７、１４、１５の下端部を床部５の凹部６に没入して固定する構成としたので、壁体1の立設、巾木７の設置を乾式の工程とすることができて施工時間の簡略化、短縮化を図ることができる。しかも、巾木７は高さ調整部材３とともに凹部６に没入されるので、凹部６の溝幅が広く確保され、高さ調整部材３の凹部６に対する位置合わせ精度を高める必要がなく、さらなる施工時間の短縮が期待できるうえ、巾木７、１４、１５がガタつく等の不具合を確実に防止できる。
【００２７】
さらに、このものにおいて、巾木７、１４、１５は、第一、第二垂直片部７ｂ、７ｃ、１４ｂ、１４ｃ、１５ｂ、１５ｃから互いに対向する方向に突出する補強リブ７ｆ、１４ｆ、１５ｆが形成されているので、表裏方向の強度アップ、即ち、巾木７、１４、１５の外部に対向する湾曲片部７ａ、１４ａ、１５ａの強度アップを図ることができる。
【００２８】
尚、本発明は前記実施の形態に限定されないことは勿論であって、図８、９に示す第二の実施の形態のようにすることができる。
第二の実施の形態において、壁体１は前記第一の実施の形態と同様に、パネル体２と、パネル体２の下端部が連結される高さ調整部材３とにより構成されているので、これらの構成部材についての説明は前記第一の実施と同様の符号を付すことにより説明を省略する。
前記高さ調整部材３下端部の表裏面には、第二の実施の形態が実施された一対の巾木２２が一体的に設けられている。前記巾木２２は、図８（Ｂ）に示すように、湾曲片部２２ａと、該湾曲片部２２ａの上端縁部から下方に垂下する第一垂直片部２２ｂと、湾曲片部２２ａの下端縁部から下方に垂下する第二垂直片部２２ｃとを備えて構成されている。そして、第二の形態では、高さ調整部材３の下端部（ベース体８）が床部２３の床面Ｆに一体的に固定されており、床部２３の高さ調整部材３固定部を基準とする表裏方向二箇所に、巾木２２の第二垂直片部２２ｃのみを没入するための凹部２４がそれぞれ凹設されている。ここで、前記各凹部２４は、第二垂直片部２２ｃを遊間可能な溝幅で、かつ、第二垂直片部２２ｃの上下長さよりも長い溝深さに形成されている。
また、前記巾木２２は、湾曲片部２２ａの下端部に、床面Ｆに当接するための床面当接部２２ｄが肉厚状に形成され、さらに、第二垂直片部２２ｃの上下方向中間部であって、床面当接部２２ｄの上方には、第一垂直片部２２ｂ側に向けて突出する補強リブ２２ｅが形成されている。一方、第一垂直片部２２ｂは前記補強リブ２２ｅと水平方向に対向する部位にまで延出されており、下端部には第二垂直片部２２ｃ側に向けて突出する補強リブ２２ｆが形成されている。
【００２９】
そして、表裏一対の巾木２２は、第一垂直片部２２ｂを壁体１の構成部材であるパネル支持体１０（高さ調整部材３）の表裏側片１０ａ、１０ｂにそれぞれ当てがい、床面当接部２２ｄを床面Ｆに突当てて各巾木２２の第二垂直片部２２ｃを凹部２４にそれぞれ没入させる状態とすることにより、湾曲片部２２ａの下端縁部と床面Ｆとが位置合わせされた状態となるように構成されている。この状態において、パネル支持体表裏側片１０ａ、１０ｂと各巾木２２の第一垂直片部２２ｂとを、一体化手段としての両面テープを用いてそれぞれ一体化し、さらに、凹部２４と巾木第二垂直片部２２ｃとの間に形成される間隙に、床面Ｆと面一状になるように充填材２５をそれぞれ充填することにより、各巾木２２が固定されるように構成されている。
そしてこの巾木２２の固定状態において、湾曲片部２２ａの上端縁部と壁面とが無段状に面合せされて封止されているとともに、湾曲片部２２ａの下端縁部と充填材２５外面、床面Ｆとが無段状に面合わせされて封止されており、これによって、前記第一の実施の形態と同様に、乾式の施工により巾木２２が設けられたクリーンルームの耐腐食性、耐薬品性の向上を図ることができて、従来のもののように、巾木取付け後に床部全域にモルタルを打設するような湿式の床工事の工程が不要となって、施工時間の短縮、コスト低下を図ることができる。
尚、第二の実施の形態では、高さ調整部材３と巾木２２の湾曲片部２２ａとの外面に下端部用保護プレート２６を設ける構成となっており、下端部用保護プレート２６の下端部には凹部没入片２６ａが形成されている。この場合では、凹部２４と第二垂直片部２２ｃとの間に形成される間隙に充填材２５を充填する前の段階で、下端部用保護プレート２６をパネル支持体１０および巾木湾曲片部２２ａに密着状に固定して凹部没入片２６ａを凹部２４に没入し、その後、凹部２４に充填材２５を充填することで、第二垂直片部２２ｃと凹部没入片２６ａとが充填材２５に埋設され、ガタつきなく封止される構成となっている。さらに、第二の実施の形態では、充填材２５の外面と床面Ｆとに防塵層２７が形成されており、これによって、壁体１、巾木２２、充填材２５、床部２３との各連結部における封止性が向上し、耐腐食性、耐薬品性の一層の向上が図れる。
【００３０】
つぎに、第三の実施の形態を図１０に示すが、このものは、前記第二の実施の形態と同様の巾木２２を、壁体１の下端部である高さ調整部材３下端部の表裏面１０ａ、１０ｂに一体化し、床面Ｆに形成された凹部２４と、該凹部２４に没入する巾木２２の第二垂直片部２２ｃとのあいだに形成される隙間に、床面Ｆと面一状になるよう充填材２５を充填した後、仕上げ手段として充填材２５の外面と床面Ｆとに防塵層２７を形成する構成となっており、高さ調整部材３のパネル支持体表裏面１０ａ、１０ｂと巾木２２の湾曲片部２２ａとは外部に露出する仕上げ状態となっている。そしてこの場合では、壁体１の下端部に保護プレートを設けない分簡易型となっているが、前述したように、高さ調整部材３のパネル支持体表裏面１０ａ、１０ｂと湾曲片部２２ａとが無段状に連結することによる封止がなされており、使用環境に適応するに足る封止性は充分に確保できるものでありながら、コスト低下が図れる構成となっている。
【産業上の利用可能性】
【００３１】
本発明は、建物内を仕切って食品や薬品を製造する等、耐腐食性、耐薬品性等の特殊機能を備えたクリーンルームを形成する場合に利用することができる。
【符号の説明】
【００３２】
１  壁体
２  パネル体
３  高さ調整部材
５  床部
６  凹部
６ａ  底片
７  巾木
７ａ  湾曲片部
７ｂ  第一垂直片部
７ｃ  第二垂直片部
７ｆ  補強リブ
８  ベース体
９  螺子受け体
１０  パネル支持体
１２  調整ボルト
１３  充填材
１４  出隅用巾木
１５  入隅用巾木
１８  下端部用保護プレート
【図１】
0005616158.tif 000002
【図２】
0005616158.tif 000003
【図３】
0005616158.tif 000004
【図４】
0005616158.tif 000005
【図５】
0005616158.tif 000006
【図６】
0005616158.tif 000007
【図７】
0005616158.tif 000008
【図８】
0005616158.tif 000009
【図９】
0005616158.tif 000010
【図１０】
0005616158.tif 000011